【手続補正書】
【提出日】令和2年10月28日(2020.10.28)
【手続補正１】
【補正対象書類名】明細書
【補正対象項目名】全文
【補正方法】変更
【補正の内容】
【発明の詳細な説明】
【発明の名称】両軸受リール
【技術分野】
【０００１】
本発明は、両軸受リールに関するものである。
【背景技術】
【０００２】
従来の両軸受リールは、スプールと、スプール軸と、左フレーム（本体部）と、左フレームに回動可能に装着される左側カバー（回動部材）とを、備えている（特許文献１及び２を参照）。
【０００３】
また、従来の両軸受リールは、スプールと、スプール軸と、左フレーム（本体部）と、左フレームに着脱可能に嵌合されるスプール支持部とを、備えている（特許文献３及び４を参照）。
【先行技術文献】
【特許文献】
【０００４】
【特許文献１】特開昭６３−２６３０３３号公報
【特許文献２】特許第５７７５２９８号公報
【特許文献３】実公平６−２０３８８号公報
【特許文献４】実公平８−１０２８９号公報
【発明の概要】
【発明が解決しようとする課題】
【０００５】
特許文献１及び２に示した両軸受リールでは、左側カバー（３，３ａ；回動部材）を左フレーム（２ａ；本体部）に対して回動することによって、スプールがフレームに対して着脱される。
【０００６】
この場合、左側カバーと左フレームとには、接合面が形成される。このため、釣人がリールをパーミングし、この接合面が釣人の手の平に接触すると、この接触が釣人に対して違和感を与えるおそれがある。
【０００７】
特に、魚が釣り糸にかかり、釣人がリールを強くパーミングするような場合には、左側カバーの接合面及び左フレームの接合面の間に、隙間が生じるおそれがある。すると、釣人に対する上記の違和感は、さらに大きくなるおそれがある。
【０００８】
また、特許文献３及び４に示した両軸受リールでは、スプール支持部（７，６）を左フレーム（１，４）から取り外したり、スプール支持部を左フレームに取り付けたりすることによって、スプールがフレームに対して着脱される。
【０００９】
この場合、特許文献３の両軸受リールでは、スプール支持部を左フレームから取り外すためには、厚みの薄い回り止め突起を立ち起こして指で引っ張る必要があり、スプール支持部をフレームから取り外しにくい。
【００１０】
特許文献４の両軸受リールでは、スプール支持部を左フレームから取り外すためには、スプール支持部を回転させた後、浅くて指をかけにくい指かけ凹部に指をかけて無理に引き抜くか、スプールのフランジをスプール支持部に向けて押す必要があり、スプール支持部を操作しづらい。
【００１１】
本発明は、上記の問題に鑑みてなされたものであって、本発明の目的は、釣人が本体部を違和感なく把持でき、且つスプール支持部を本体部から容易に取り外すことができる両軸受リールを、提供することにある。
【課題を解決するための手段】
【００１２】
本発明の一側面に係る両軸受リールは、スプールと、スプール軸と、スプール支持部と、本体部と、回動部材とを、備える。スプールには、釣り糸が巻き付けられる。スプール軸は、スプールの回転中心に配置される。スプール支持部は、スプール軸の一端側を支持可能に構成される。本体部には、スプール支持部が着脱可能に装着される。
【００１３】
回動部材は、本体部に対してスプール支持部を連結可能に構成される。回動部材は、スプール支持部を本体部から取り外し可能な第１姿勢、及びスプール支持部を本体部から取り外し不能な第２姿勢の間で、回動可能に配置される。
【００１４】
第１姿勢では、回動部材の径方向外側部が、スプールの回転中心から離れる第１径方向及びスプールの回転中心に沿う第１軸方向の少なくともいずれか一方の方向において、本体部と間隔を隔てて配置される。第２姿勢では、第１軸方向において回動部材を外側から見た場合に、径方向外側部は、第１径方向における本体部の外面より、内側に配置される。
【００１５】
本両軸受リールでは、回動部材が第２姿勢である場合、第１軸方向において回動部材を外側から見て、径方向外側部が、第１径方向における本体部の外面より、内側に配置されるので、釣人は本体部を違和感なく把持できる。
【００１６】
また、回動部材が第１姿勢である場合、回動部材の径方向外側部は、スプールの回転中心から離れる第１径方向及びスプールの回転中心に沿う第１軸方向の少なくともいずれか一方の方向において、本体部と間隔を隔てて配置される。このため、回転部材が第１姿勢である場合、釣人は、回動部材の径方向外側部を容易に操作することができ、スプール支持部を本体部から容易に取り外すことができる。
【００１７】
本発明の他の側面に係る両軸受リールでは、回動部材が第１姿勢である場合、スプール支持部を本体部から取り外すために、径方向外側部が上記の間隔によって操作可能に配置されることが好ましい。ここでは、回動部材が第２姿勢である場合、本体部を把持可能なように径方向外側部が配置される。
【００１８】
この構成によって、回動部材が第１姿勢である場合に、釣人は、スプール支持部を本体部からより容易に取り外すことができる。また、回動部材が第２姿勢である場合に、釣人は、本体部をより違和感なく把持できる。
【００１９】
本発明の他の側面に係る両軸受リールでは、第１姿勢において、回動部材が、スプールから離れる第１軸方向において、本体部に対して移動可能に構成されることが好ましい。ここでは、第２姿勢において、回動部材は、第１軸方向において、本体部に対して移動不能に構成される。
【００２０】
この構成によって、第１姿勢において、回動部材を用いて、スプール支持部を本体部から容易に取り外すことができる。また、第２姿勢において、回動部材を介して、スプール支持部を本体部に固定することができる。
【００２１】
本発明の他の側面に係る両軸受リールでは、本体部が、回動部材を配置するための開口部を、有することが好ましい。ここでは、径方向外側部は、開口部の外側に配置される。
【００２２】
この構成によって、回動部材によってスプール支持部を本体部に容易に取り付けたり、回動部材によってスプール支持部を本体部から容易に取り外したりすることができる。
【００２３】
本発明の他の側面に係る両軸受リールでは、径方向外側部が、突出部を有することが好ましい。突出部は、回動部材が第１姿勢である場合に、回動中心から離れる第２径方向において、本体部より外側に突出する。ここでは、突出部の先端部が、第２径方向において本体部と間隔を隔てて配置される。
【００２４】
この構成によって、釣人は、本体部と間隔を隔てて配置される突出部を用いて、スプール支持部を本体部から容易に取り外すことができる。
【００２５】
本発明の他の側面に係る両軸受リールでは、突出部及び本体部の外面の間には、隙間が設けられることが好ましい。
【００２６】
この構成によって、回動部材を回動させる場合に、突出部と本体部の外面との間に摺動抵抗が生じないので、回動部材をスムーズに回転させることができる。
【００２７】
本発明の他の側面に係る両軸受リールでは、本体部が、段差部を有することが好ましい。段差部は、回動部材が第２姿勢である場合に、第１軸方向において突出部に対向する。
【００２８】
この構成では、回動部材が第２姿勢である場合に、突出部を本体部の段差部に対向させることによって、釣人は、本体部をより違和感なく把持できる。
【００２９】
本発明の他の側面に係る両軸受リールでは、径方向外側部が、対向部を有することが好ましい。対向部は、回動部材が第１姿勢である場合に、回動中心に沿う第２軸方向において、本体部と対向して配置される。ここでは、対向部の外周部が、第２軸方向において本体部と間隔を隔てて配置される。
【００３０】
この構成によって、釣人は、本体部と間隔を隔てて配置される対向部を用いて、スプール支持部を本体部から容易に取り外すことができる。
【００３１】
本発明の他の側面に係る両軸受リールでは、径方向外側部が、突出部と、対向部とを、有することが好ましい。突出部は、回動部材が第１姿勢である場合に、回動中心から離れる第２径方向において、本体部より外側に突出する。突出部の先端部は、第２径方向において本体部と間隔を隔てて配置される。
【００３２】
対向部は、回動部材が第１姿勢である場合に、回動中心に沿う第２軸方向において、本体部と対向して配置される。対向部の外周部は、第２軸方向において本体部と間隔を隔てて配置される。
【００３３】
この構成によって、釣人は、本体部と間隔を隔てて配置される突出部及び対向部を用いて、スプール支持部を本体部から容易に取り外すことができる。
【発明の効果】
【００３４】
本発明によれば、両軸受リールにおいて、釣人が本体部を違和感なく把持でき、且つスプール支持部を本体部から容易に取り外すことができる。
【図面の簡単な説明】
【００３５】
【図１】両軸受リールの斜視図。
【図２Ａ】両軸受リールの側面図（取付姿勢）。
【図２Ｂ】両軸受リールの側面図（脱着姿勢）。
【図３Ａ】第２側板の斜視図。
【図３Ｂ】第２側板の側面図。
【図４】スプール支持構造の斜視図。
【図５】回動部材の斜視図。
【図６Ａ】図１の切断線VIA-VIAにおける部分拡大断面図。
【図６Ｂ】図２Ｂの切断線VIB-VIBにおける部分拡大断面図。
【発明を実施するための形態】
【００３６】
＜両軸受リールの全体概要＞
本発明の実施形態による両軸受リール１００は、図１、図２Ａ、及び図２Ｂに示すように、リール本体１（本体部の一例）と、ハンドル２と、スプール１０（図１を参照）と、スプール軸１４（図６Ａ及び図６Ｂを参照）と、スプール支持構造１５とを、備える。
【００３７】
なお、以下に用いられる"軸方向"は、スプール１０の回転中心すなわちスプール軸心ＣＡが延びる方向、又はスプール軸心ＣＡに沿った方向として、定義される。スプール軸心ＣＡは、スプール軸１４の軸心と同芯である。このため、"軸方向"は、スプール軸１４が延びる方向、又はスプール軸１４に沿った方向とも解釈できる。
【００３８】
"径方向"は、スプール軸心ＣＡから離れる方向として、定義される。"周方向"は、スプール軸心ＣＡまわりの方向として、定義される。
【００３９】
図１、図２Ａ、及び図２Ｂに示すように、リール本体１には、ハンドル２と、スプール１０（図１を参照）と、スプール軸１４（図６Ａ及び図６Ｂを参照）と、スプール支持構造１５とが、装着される。リール本体１の詳細については、後述する。
【００４０】
ハンドル２は、スプール１０を回転可能に構成される。詳細には、ハンドル２は、スプール１０を回転駆動するように構成され、リール本体１の側部に回転可能に設けられる。ハンドル２は、後述する側カバー８ａ側に設けられる。
【００４１】
なお、両軸受リール１００を釣り竿に装着した状態においてハンドル２を回転した場合に、ハンドル２が回転する回転方向を、"糸巻き取り方向"と記すことがある。また、釣糸を繰り出す方向を前方とし、その反対を後方とする。釣竿に近付く方向を下方、釣竿から離れる方向を上方とする。
【００４２】
スプール１０には、釣り糸が巻き付けられる。スプール１０は、上述したスプール軸心ＣＡを有する。スプール１０は、リール本体１に回転可能に支持される。ここでは、スプール１０は、スプール軸１４に一体回転可能に装着される。スプール１０は、スプール軸１４を介して、リール本体１に回転可能に支持される。スプール軸１４は、スプール軸心ＣＡに配置される。ここでは、スプール軸１４は、スプール１０と一体回転可能に構成される。スプール軸１４は、リール本体１に回転可能に支持される。
【００４３】
＜リール本体＞
図１に示すように、リール本体１は、フレーム７と、側カバー８ａとを、有する。
【００４４】
フレーム７は、第１側板７ａと、第２側板７ｂと、複数の連結部７ｃとを、有する。第１側板７ａと第２側板７ｂとの間には、スプール１０が配置される。第１側板７ａは、ハンドル２側に設けられる。第１側板７ａは、図示しない軸受を介して、スプール軸１４を回転可能に支持する。
【００４５】
第２側板７ｂは、ハンドル２とは反対側に設けられる。第２側板７ｂは、軸方向において、第１側板７ａと間隔を隔てて配置される。
【００４６】
図３Ａ及び図３Ｂに示すように、第２側板７ｂは、スプール１０を着脱するための開口部７ｄと、回動部材１９の第１操作部１９ｂ１（後述する）を配置するための段差部７ｉとを、有する。開口部７ｄは、スプール軸方向に第２側板７ｂを貫通する。開口部７ｄは、実質的に円筒状に形成される。
【００４７】
開口部７ｄには、回動部材１９が配置される。開口部７ｄは、案内凹部７ｅと、バヨネット溝部７ｆと、位置決め凹部７ｇとを、有する。案内凹部７ｅは、回動部材１９のバヨネット凸部１９ｄ（後述する）をバヨネット溝部７ｆに案内する。案内凹部７ｅは、開口部７ｄの内周面に設けられる。ここでは、複数（例えば２個）の案内凹部７ｅが、開口部７ｄの内周面に形成される。
【００４８】
図３Ａに示すように、各案内凹部７ｅは、軸方向に延びる溝部である。各案内凹部７ｅは、第２側板７ｂの外面からバヨネット溝部７ｆに向けて、軸方向に延びる。
【００４９】
図３Ｂに示すように、各案内凹部７ｅは、周方向において、間隔を隔てて配置される。例えば、各案内凹部７ｅは、周方向において、１８０度の間隔で配置される。すなわち、各案内凹部７ｅは、径方向に対向して配置される。ここでは、一方の案内凹部７ｅが、釣竿側すなわち開口部７ｄの下方に、配置される。他方の案内凹部７ｅは、釣竿から離れた側すなわち開口部７ｄの上方に、配置される。他方の案内凹部７ｅの構成は、一方の案内凹部７ｅの構成と同じである。
【００５０】
図３Ａ及び図３Ｂに示すように、バヨネット溝部７ｆは、回動部材１９のバヨネット凸部１９ｄを周方向に案内する。バヨネット溝部７ｆは、開口部７ｄの内周面に設けられる。ここでは、複数（例えば２個）のバヨネット溝部７ｆが、開口部７ｄの内周面に形成される。
【００５１】
各バヨネット溝部７ｆは、周方向に延びる。各バヨネット溝部７ｆは、各案内凹部７ｅから周方向に延びる。例えば、一方のバヨネット溝部７ｆは、下方の案内凹部７ｅから上方の案内凹部７ｅに向けて延びる。詳細には、図３Ｂに示すように、第２側板７ｂを軸方向外側から見た場合、一方のバヨネット溝部７ｆは、下方の案内凹部７ｅから、時計回りの周方向に向けて延びる。一方のバヨネット溝部７ｆの先端部７ｈは、上方の案内凹部と間隔を隔てて配置される。
【００５２】
他方のバヨネット溝部７ｆの構成は、上記の一方のバヨネット溝部７ｆの構成と実質的に同じである。他方のバヨネット溝部７ｆは、上方の案内凹部７ｅから、下方の案内凹部７ｅに向けて延びる。詳細には、図３Ｂに示すように、第２側板７ｂを軸方向外側から見た場合、他方のバヨネット溝部７ｆは、上方の案内凹部７ｅから、時計回りの周方向に向けて延びる。他方のバヨネット溝部７ｆの先端部７ｈは、下方の案内凹部７ｅと間隔を隔てて配置される。
【００５３】
複数のバヨネット溝部７ｆそれぞれの先端部７ｈには、バヨネット凸部１９ｄが当接可能である。これにより、回動部材１９が周方向に位置決めされる。
【００５４】
図３Ａ及び図３Ｂに示すように、位置決め凹部７ｇは、スプール支持部１７の回転を規制するためのものである。位置決め凹部７ｇは、開口部７ｄの内周面に設けられる。ここでは、少なくとも１つ（例えば１個）の位置決め凹部７ｇが、開口部７ｄの内周面に形成される。位置決め凹部７ｇは、軸方向に延びる溝部である。位置決め凹部７ｇは、一方のバヨネット溝部７ｆの先端部７ｈ、及び上方の案内凹部の周方向間に配置される。
【００５５】
図３Ａ及び図３Ｂに示すように、段差部７ｉは、フレーム７の第２側板７ｂに設けられる。段差部７ｉは、開口部７ｄの径方向外側に設けられる。例えば、段差部７ｉは、開口部７ｄの径方向外側において、糸繰りだし方向とは反対側例えば第２側板７ｂの後方に、設けられる。図２Ａ及び図６Ａに示すように、段差部７ｉは、後述する回動部材１９が取付姿勢である場合に、軸方向において第１操作部１９ｂ１に対向する。
【００５６】
図１に示すように、複数の連結部７ｃは、第１側板７ａと第２側板７ｂとを連結する。複数の連結部７ｃは、第１側板７ａ及び第２側板７ｂの前部、後部、及び下部において、第１側板７ａ及び第２側板７ｂを互いに連結する。下部の連結部には、釣り竿装着用の竿装着脚部が一体に形成される。
【００５７】
図１に示すように、側カバー８ａは、ハンドル２側のフレーム７を覆う。詳細には、側カバー８ａは、第１側板７ａに装着され、第１側板７ａを覆う。側カバー８ａは、図示しない軸受を介して、スプール軸１４の一端を回転可能に支持する。
【００５８】
＜スプール支持構造の構成＞
スプール支持構造１５は、スプール軸１４を支持する（図６Ａ及び図６Ｂを参照）。
詳細には、スプール支持構造１５は、スプール軸１４の他端側を回転可能に支持する。
【００５９】
図１に示すように、スプール支持構造１５は、リール本体１に着脱可能に装着される。ここでは、スプール支持構造１５は、ハンドル２とは反対側のフレーム７に着脱可能に装着される。詳細には、図１、図３Ａ、及び図４に示すように、スプール支持構造１５は、第２側板７ｂの開口部７ｄに着脱可能に装着され、第２側板７ｂの開口部７ｄを覆う。
【００６０】
図４、図５、図６Ａ、及び図６Ｂに示すように、スプール支持構造１５は、スプール支持部１７と、回動部材１９とを、有する。
【００６１】
（スプール支持部）
図１、図４、図６Ａ、及び図６Ｂに示すように、スプール支持部１７は、回動部材１９を介して、リール本体１に着脱可能に装着される。スプール支持部１７は、スプール軸心ＣＡ及び回動部材１９の径方向間に、配置される。
【００６２】
図６Ａ及び図６Ｂに示すように、スプール支持部１７は、スプール軸１４の他端を支持可能に構成される。スプール支持部１７は、リール本体１に着脱可能に装着される。スプール支持部１７は、回動部材１９を回転可能に保持する。
【００６３】
スプール支持部１７は、軸支持部１７ａと、筒部１７ｂと、円板部１７ｃとを、有する。軸支持部１７ａは、スプール軸１４の他端を回転可能に支持する。具体的には、軸支持部１７ａは、実質的に筒状に形成される。軸支持部１７ａの中心は、スプール軸心ＣＡと同芯である。
【００６４】
軸支持部１７ａの内周部には、スプール軸１４の他端が配置される。軸支持部１７ａの内周面とスプール軸１４の他端外周面との間には、軸受１６が配置される。すなわち、軸支持部１７ａは、軸受１６を介して、スプール軸１４の他端を回転可能に支持する。
【００６５】
筒部１７ｂは、実質的に筒状に形成される。筒部１７ｂは、径方向において、軸支持部１７ａと間隔を隔てて配置される。筒部１７ｂの径方向外側には、回動部材１９が配置される。
【００６６】
図６Ａ及び図６Ｂに示すように、筒部１７ｂは、孔部１７ｄと、位置決め凸部１７ｅ（図４を参照）とを、有する。ここでは、筒部１７ｂは、複数（例えば３個）の孔部１７ｄと、少なくとも１つ（例えば１個）の位置決め凸部１７ｅとを、有する。
【００６７】
各孔部１７ｄは、抜け止め部材２１（後述する）を、筒部１７ｂの内周側から回動部材１９に向けて挿通するためのものである。各孔部１７ｄは、筒部１７ｂを径方向に貫通している。各孔部１７ｄは、周方向において、間隔を隔てて配置される。例えば、各孔部１７ｄは、周方向において、６０度の間隔で配置される。
【００６８】
図４に示すように、位置決め凸部１７ｅは、リール本体１に対するスプール支持部１７の回転を規制するためのものである。位置決め凸部１７ｅは、筒部１７ｂの外周部に設けられる。詳細には、位置決め凸部１７ｅは、筒部１７ｂの外周部と一体に形成され、筒部１７ｂの外周部から径方向外側に突出する。位置決め凸部１７ｅは、リール本体１（開口部７ｄ）の位置決め凹部７ｇ（図３Ａ及び図３Ｂを参照）に、配置される。
【００６９】
図６Ａ及び図６Ｂに示すように、円板部１７ｃは、軸支持部１７ａ及び筒部１７ｂを連結する。円板部１７ｃは、実質的に円板状に形成される。円板部１７ｃの内周部には、軸支持部１７ａが一体に形成される。円板部１７ｃの外周部には、筒部１７ｂが一体に形成される。
【００７０】
図１及び図４に示すように、円板部１７ｃには、調整ダイヤル２０を操作するための開口１７ｇが、設けられる。また、図６Ａ及び図６Ｂに示すように、円板部１７ｃの内面には、調整ダイヤル２０（図１及び図４を参照）を配置するための環状凹部１７ｆが、形成される。ここで、調整ダイヤル２０は、スプール１０の制動力を調整するための操作部材である。調整ダイヤル２０は、スプール１０の制動力を調整するためのスプール制動機構３０（図６Ａ及び図６Ｂを参照）を構成する。なお、スプール制動機構３０の構成及び動作等については、本実施形態では特に詳述しない。
【００７１】
（回動部材）
回動部材１９は、スプール支持部１７をリール本体１に取り付けたり、スプール支持部１７をリール本体１から取り外したりするために、用いられる。回動部材１９は、リール本体１に対してスプール支持部１７を連結可能に構成される。
【００７２】
図１、図２Ａ、及び図２Ｂに示すように、回動部材１９は、リール本体１及びスプール支持部１７の間に配置される。詳細には、回動部材１９は、第２側板７ｂの開口部７ｄ及びスプール支持部１７の径方向間に、配置される。回動部材１９の回動中心は、スプール軸心ＣＡと同芯である。
【００７３】
図２Ａ及び図２Ｂに示すように、回動部材１９は、取付姿勢（第２姿勢の一例；図２Ａを参照）及び脱着姿勢（第１姿勢の一例；図２Ｂを参照）の間で回動可能なように、リール本体１（例えばフレーム７）に配置される。詳細には、回動部材１９は、取付姿勢及び脱着姿勢の間で回動可能なように、フレーム７例えば第２側板７ｂの開口部７ｄに、係合する。
【００７４】
ここで、取付姿勢は、スプール支持部１７をリール本体１から取り外し不能な姿勢である。取付姿勢では、回動部材１９は、第１軸方向において、リール本体１に対して移動不能に構成される。
【００７５】
脱着姿勢は、スプール支持部１７をリール本体１から取り外し可能な姿勢である。脱着姿勢では、回動部材１９が、スプール１０から離れる第１軸方向において、リール本体１に対して移動可能に構成される。
【００７６】
また、図５、図６Ａ、及び図６Ｂに示すように、回動部材１９は、スプール支持部１７に対して回転可能に配置される。
【００７７】
図４及び図５に示すように、回動部材１９は、回動部１９ａと、第１操作部１９ｂ１（径方向外側部の一例；突出部の一例）と、第２操作部１９ｂ２（径方向外側部の一例；対向部の一例）とを、有する。回動部１９ａは、実質的に円環状に形成される。回動部１９ａは、スプール支持部１７の外周部、例えば筒部１７ｂの外周面に、配置される。
【００７８】
図５に示すように、回動部１９ａは、環状溝部１９ｃと、バヨネット凸部１９ｄとを、有する。環状溝部１９ｃは、環状に形成された溝部である。環状溝部１９ｃは、回動部１９ａの内周面に形成される。環状溝部１９ｃは、周方向に延びる。
【００７９】
バヨネット凸部１９ｄは、回動部１９ａの外周部に設けられる。ここでは、複数（例えば２個）のバヨネット凸部１９ｄが、回動部１９ａの外周部に一体に形成される。
【００８０】
各バヨネット凸部１９ｄは、回動部１９ａの外周部から径方向外側に突出する。各バヨネット凸部１９ｄは、周方向において、間隔を隔てて配置される。例えば、各バヨネット凸部１９ｄは、周方向において、１８０度の間隔で配置される。すなわち、各バヨネット凸部１９ｄは、径方向に対向して配置される。
【００８１】
回動部材１９が、リール本体１例えば第２側板７ｂの開口部７ｄに、取り付けられる場合、各バヨネット凸部１９ｄは、開口部７ｄの各案内凹部７ｅ（図３Ａ及び図３Ｂを参照）に配置され、スプール１０に近づく軸方向に移動する。そして、各バヨネット凸部１９ｄが、各バヨネット溝部７ｆの位置に到達すると、各バヨネット溝部７ｆに沿って周方向に移動する。すると、各バヨネット凸部１９ｄは、各バヨネット溝部７ｆの先端部７ｈに当接する。これにより、各バヨネット凸部１９ｄが、第２側板７ｂの開口部７ｄに位置決めされる。この姿勢が取付姿勢である。
【００８２】
回動部材１９が、リール本体１例えば第２側板７ｂの開口部７ｄから、取り外される場合、各バヨネット凸部１９ｄは、各バヨネット溝部７ｆの先端部７ｈから各案内凹部７ｅに向かって、各バヨネット溝部７ｆを周方向に移動する。そして、各バヨネット凸部１９ｄが、各案内凹部７ｅに到達する。この姿勢が脱着姿勢である。そして、各バヨネット凸部１９ｄは、各案内凹部７ｅから、スプール１０から離れる軸方向に、移動する。これにより、各バヨネット凸部１９ｄと、第２側板７ｂの開口部７ｄとの係合が解除される。
【００８３】
図２Ａ及び図２Ｂに示す第１操作部１９ｂ１は、回動部１９ａをリール本体１に対して回動させる際に用いられる。例えば、第１操作部１９ｂ１は、回動部１９ａを回動可能に支持するスプール支持部１７を、リール本体１から取り外す際にも用いられる。
【００８４】
より具体的には、釣人が、手指を第１操作部１９ｂ１に係合させて、回転動作を行うことによって、回動部１９ａは回動する。また、釣人が、手指を第１操作部１９ｂ１に係合させて、押圧動作を行うことによって、スプール支持部１７が取り外される。
【００８５】
図２Ａ、図２Ｂ、図６Ａ、及び図６Ｂに示すように、第１操作部１９ｂ１は、回動部１９ａに設けられる。ここでは、第１操作部１９ｂ１は、回動部材１９の径方向外側、例えば回動部１９ａの径方向外側に設けられる。詳細には、第１操作部１９ｂ１は、回動部１９ａから径方向外側に突出し、回動部１９ａと一体に形成される。
【００８６】
第１操作部１９ｂ１は、開口部７ｄの外側に配置される。例えば、第１操作部１９ｂ１は、開口部７ｄより径方向外側に配置される。図６Ａ及び図６Ｂに示すように、第１操作部１９ｂ１及びリール本体１の外面の間には、隙間Ｇ１，Ｇ２が設けられる。詳細には、取付姿勢及び脱着姿勢の間において、第１操作部１９ｂ１及びリール本体１の外面の間には、隙間Ｇ１，Ｇ２が設けられる。
【００８７】
回動部材１９が取付姿勢である場合（図２Ａを参照）、第１操作部１９ｂ１は、リール本体１を把持可能なように配置される。詳細には、回動部材１９が取付姿勢である場合、軸方向において回動部材１９を外側から見た場合に、第１操作部１９ｂ１は、径方向におけるリール本体１の外面、例えば径方向における第２側板７ｂの外面より、内側に配置される。
【００８８】
より詳細には、図２Ａ及び図６Ａに示すように、第１操作部１９ｂ１は、第１操作部１９ｂ１の先端部がリール本体１（例えば第２側板７ｂ）に対向する部分における外側の部分７ｊより、径方向内側に配置される。ここでは、第１操作部１９ｂ１は、段差部７ｉの外周部７ｊより径方向内側に配置される。
【００８９】
回動部材１９が脱着姿勢である場合（図２Ｂ及び図６Ｂを参照）、第１操作部１９ｂ１は、スプール軸心ＣＡから離れる径方向において、リール本体１より外側に突出する。
【００９０】
例えば、図６Ｂに示すように、回動部材１９が脱着姿勢である場合、第１操作部１９ｂ１の先端部は、スプール軸心ＣＡから離れる径方向において、リール本体１の外面と間隔Ｄ１を隔てて配置される。間隔Ｄ１は、径方向における第１操作部１９ｂ１の先端部とリール本体１との距離である。この第１操作部１９ｂ１の先端部とリール本体１との間隔Ｄ１によって、スプール支持部１７をリール本体１から取り外す際に、第１操作部１９ｂ１が操作可能となる。
【００９１】
また、回動部材１９が脱着姿勢である場合（図６Ｂを参照）、第１操作部１９ｂ１及びリール本体１の外面の間には、隙間Ｇ２が設けられる。詳細には、この場合、リール本体１の外面に対向する第１操作部１９ｂ１の内面、及びリール本体１の外面の間には、隙間Ｇ２が設けられる。
【００９２】
図２Ａ及び図２Ｂに示す第２操作部１９ｂ２は、回動部１９ａをリール本体１に対して回動させる際に用いられる。例えば、第２操作部１９ｂ２は、回動部１９ａを回動可能に支持するスプール支持部１７を、リール本体１から取り外す際にも用いられる。
【００９３】
より具体的には、釣人が、手指を第２操作部１９ｂ２に係合させて、回転動作を行うことによって、回動部１９ａは回動する。また、釣人が、手指を第２操作部１９ｂ２に係合させて、押圧動作を行うことによって、スプール支持部１７が取り外される。
【００９４】
図２Ａ、図２Ｂ、図６Ａ、及び図６Ｂに示すように、第２操作部１９ｂ２は、回動部１９ａに設けられる。ここでは、第２操作部１９ｂ２は、回動部材１９の径方向外側、例えば回動部１９ａの径方向外側に設けられる。詳細には、第２操作部１９ｂ２は、回動部１９ａから径方向外側に突出し、回動部１９ａと一体に形成される。
【００９５】
第２操作部１９ｂ２は、周方向において、第１操作部１９ｂ１と間隔を隔てて配置される。ここでは、第２操作部１９ｂ２は、周方向において、第１操作部１９ｂ１と１８０度の間隔で、配置される。
【００９６】
第２操作部１９ｂ２は、開口部７ｄの外側に配置される。例えば、第２操作部１９ｂ２は、開口部７ｄより径方向外側に配置される。図６Ａ及び図６Ｂに示すように、第２操作部１９ｂ２及びリール本体１の外面の間には、隙間Ｇ３，Ｇ４が設けられる。詳細には、取付姿勢及び脱着姿勢の間において、第２操作部１９ｂ２の先端部及びリール本体１の外面の間には、隙間Ｇ３，Ｇ４が設けられる。
【００９７】
回動部材１９が取付姿勢である場合（図２Ａ及び図６Ａを参照）、第２操作部１９ｂ２は、リール本体１を把持可能なように配置される。詳細には、回動部材１９が取付姿勢である場合、軸方向において回動部材１９を外側から見た場合に、第２操作部１９ｂ２は、径方向におけるリール本体１の外面、例えば径方向における第２側板７ｂの外面より、内側に配置される。
【００９８】
より詳細には、第２操作部１９ｂ２は、第２操作部１９ｂ２の先端部がリール本体１（例えば第２側板７ｂ）に対向する部分における外側の部分７ｋより、径方向内側に配置される。ここでは、第２操作部１９ｂ２は、第２側板７ｂの外周部７ｋより径方向内側に配置される。
【００９９】
図６Ｂに示すように、回動部材１９が脱着姿勢である場合、第２操作部１９ｂ２は、軸方向において、リール本体１と対向して配置される。
【０１００】
例えば、回動部材１９が脱着姿勢である場合、第２操作部１９ｂ２の先端部は、軸方向において、リール本体１の外面と間隔Ｄ２を隔てて配置される。ここでは、間隔Ｄ２は、上述した隙間Ｇ４の軸方向の間隔である。
【０１０１】
詳細には、この場合、リール本体１の外面に対向する第２操作部１９ｂ２の内面、及びリール本体１の外面の間には、間隔Ｄ２が設けられる。この第２操作部１９ｂ２の先端部とリール本体１との間隔Ｄ２によって、スプール支持部１７をリール本体１から取り外す際に、第２操作部１９ｂ２が操作可能となる。
上記の構成を有する回動部材１９は、例えば抜け止め部材２１を介して、スプール支持部１７に対して回動可能に配置される。詳細には、図５、図６Ａ、及び図６Ｂに示すように、抜け止め部材２１の装着部２１ａがスプール支持部１７の筒部１７ｂの内周部に配置される。そして、抜け止め部材２１の規制部２１ｂが、スプール支持部１７の孔部１７ｄを介して回動部材１９の環状溝部１９ｃに配置される。これにより、回動部材１９は、スプール支持部１７に対して軸方向に抜け止めされ、且つスプール支持部１７に対して周方向に回動可能になる。
【０１０２】
＜スプール支持構造の組み立て＞
スプール支持構造１５は、次のようにして組み立てられる。まず、回動部材１９が、スプール支持部１７の径方向外側に配置される。この状態において、回動部材１９の環状溝部１９ｃが、径方向において、スプール支持部１７の筒部１７ｂの各孔部１７ｄに対向して配置される。
【０１０３】
次に、調整ダイヤル２０がスプール支持部１７の環状凹部１７ｆに配置され、抜け止め部材２１が環状の蓋部材２３を介してスプール支持部１７に装着される。最後に、抜け止め部材２１及び蓋部材２３が、固定部材例えばネジ部材２２によって、位置決めされる。
このようにして組み立てられたスプール支持構造１５は、次のようにして、リール本体１に取り付けられる。
【０１０４】
回動部材１９をスプール支持部１７に対して脱着姿勢に配置した状態において、図４に示す回動部材１９の各バヨネット凸部１９ｄが、図３Ａに示すリール本体１（開口部７ｄ）の各案内凹部７ｅに配置され、図４に示すスプール支持部１７の位置決め凸部１７ｅが、図３Ａに示すリール本体１（開口部７ｄ）の位置決め凹部７ｇに、配置される。
【０１０５】
この状態において、スプール支持構造１５がスプール１０側に押し込まれる。この際に、スプール軸１４の端部が、軸受１６を介して、スプール支持部１７の軸支持部１７ａに回転可能に支持される。
【０１０６】
続いて、図２Ｂに示すように、回動部材１９が回転方向Ｒ２に回動されると、図４に示す回動部材１９の各バヨネット凸部１９ｄが、図３Ａに示す各バヨネット溝部７ｆに沿って周方向に移動する。そして、各バヨネット凸部１９ｄが各バヨネット溝部７ｆの先端部７ｈに当接する。これにより、回動部材１９の姿勢が脱着姿勢（図２Ｂを参照）から取付姿勢（図２Ａを参照）に変化し、スプール支持構造１５がリール本体１に取り付けられる。
【０１０７】
このようにリール本体１に取り付けられたスプール支持構造１５は、上記の取付形態とは逆の手順を行うことによって、スプール支持構造１５がリール本体１に取り外される。このため、取り外しの手順については、簡単に説明する。
【０１０８】
回動部材１９が、取付姿勢（図２Ａを参照）から脱着姿勢（図２Ｂを参照）へと変化するように、リール本体１及びスプール支持部１７に対して回転方向Ｒ１（図２Ａを参照）に回動される。
【０１０９】
例えば、回動部材１９の第１操作部１９ｂ１及び第２操作部１９ｂ２を周方向に押圧することによって、回動部材１９の姿勢が、取付姿勢（図２Ａを参照）から脱着姿勢（図２Ｂを参照）へと変化する。この状態において、間隔Ｄ１，Ｄ２を利用して、第１操作部１９ｂ１及び第２操作部１９ｂ２を、スプール１０から離れる軸方向に押圧することによって、スプール支持構造１５がリール本体１から取り外される。
【０１１０】
＜他の実施形態＞
以上、本発明の実施形態について説明したが、本発明はこれらに限定されるものではなく、本発明の趣旨を逸脱しない限りにおいて種々の変更が可能である。
【０１１１】
（ａ）前記実施形態では、回動部材１９が脱着姿勢である場合に、第１操作部１９ｂ１がリール本体１から径方向に突出する場合の例を示したが、第２操作部１９ｂ２を第１操作部１９ｂ１と同様に構成してもよい。
【０１１２】
（ｂ）前記実施形態では、回動部材１９が脱着姿勢である場合に、第１操作部１９ｂ１がリール本体１から径方向に突出する場合の例を示したが、第１操作部１９ｂ１を第２操作部１９ｂ２と同様に構成してもよい。
【０１１３】
（ｃ）前記実施形態では、スプール１０がスプール軸１４と一体回転可能に構成される場合の例を示したが、スプール１０がスプール軸１４に対して回転可能に支持されてもよい。
（ｄ）前記実施形態では、回動部材１９の回動中心がスプール軸心ＣＡと同芯である場合の例を示したが、回動部材１９の回動中心は、スプール軸心ＣＡからオフセットしていてもよい。
（ｅ）前記実施形態では、抜け止め部材２１を用いて、回動部材１９がスプール支持部１７に対して回動可能に配置される場合の例を示したが、回動部材１９がスプール支持部１７に対して回動することができれば、回動部材１９はスプール支持部１７に対してどのように係合させて配置してもよい。
（ｆ）前記実施形態では、調整ダイヤル２０がスプール支持構造１５に装着される場合の例を示した。これに代えて、調整ダイヤル２０例えばスプール制動機構３０を有していない両軸受リールにも、本発明は適用可能である。
【符号の説明】
【０１１４】
１００  両軸受リール
１  リール本体
７  フレーム
７ｄ  開口部
１０  スプール
１４  スプール軸
１７  スプール支持部
１９  回動部材
１９ｂ１  第１操作部
１９ｂ２  第２操作部
ＣＡ  スプール軸心
Ｄ１，Ｄ２  間隔
Ｇ１〜Ｇ４  隙間